(57)【要約】【課題】使い勝手を良好なものにするとともに、通信不良に対処する。【解決手段】撮像装置１に着脱可能に装着されるストロボ装置３０であって、撮像装置に装着されたことに応じて第１の情報を非接触で送信する非接触情報送信手段２１３と、接点群３９を介して撮像装置と通信を行う通信手段２００とを有し、非接触情報送信手段は、ストロボ装置の主スイッチ２１１がオフであるときに、第１の情報を送信しないように構成されており、第１の情報を撮像装置に受信させることにより、ストロボ装置の装着と主スイッチのオンを撮像装置に知らせ、通信手段は、撮像装置との間の通信が良好であるか否かを判定するための第２の情報を送信する。【選択図】図２
2011075741.tif 000002
【特許請求の範囲】
【請求項１】
撮像装置に着脱可能に装着されるストロボ装置であって、
前記撮像装置に装着されたことに応じて第１の情報を非接触で送信する非接触情報送信手段と、
接点群を介して前記撮像装置と通信を行う通信手段とを有し、
前記非接触情報送信手段は、当該ストロボ装置の主スイッチがオフであるときに、前記第１の情報を送信しないように構成されており、
前記第１の情報を前記撮像装置に受信させることにより、当該ストロボ装置の装着と前記主スイッチのオンを前記撮像装置に知らせ、
前記通信手段は、前記撮像装置との間の通信が良好であるか否かを判定するための第２の情報を送信することを特徴とするストロボ装置。
【請求項２】
前記情報送信手段は、パッシブ型のＩＣタグであることを特徴とする請求項１に記載のストロボ装置。
【請求項３】
前記ＩＣタグは、前記主スイッチのオフに応じてアンテナ機能が損なわれることにより前記第１の情報を送信しない構成であることを特徴とする請求項２に記載のストロボ装置。
【請求項４】
請求項１ないし３のいずれか１項に記載のストロボ装置が装着可能な撮像装置であって、
前記ストロボ装置から前記第１の情報を受信することによって前記ストロボ装置の装着と前記主スイッチのオンを検出する第１の検出手段と、
前記ストロボ装置から前記第２の情報を受信することによって前記ストロボ装置との通信が良好であるか否かを検出する第２の検出手段と、
前記第２の検出手段により通信が不良であることが検出された場合、通信不良としての処理を行う制御手段とを有することを特徴とする撮像装置。
【請求項５】
前記通信不良としての処理は、警告手段による警告であることを特徴とする請求項４に記載の撮像装置。
【請求項６】
前記通信不良としての処理は、前記ストロボ装置を使用しての撮影の禁止であることを特徴とする請求項４に記載の撮像装置。
【請求項７】
請求項１ないし３のいずれか１項に記載のストロボ装置と、請求項４ないし６のいずれか１項に記載の撮像装置とを備えた撮像システム。
【発明の詳細な説明】
【技術分野】
【０００１】
本発明は、撮像装置に着脱可能に装着されるストロボ装置、該ストロボ装置が装着可能な撮像装置およびストロボ装置と撮像装置とを備えた撮像システムに関するものである。
【背景技術】
【０００２】
ストロボ装置と撮像装置（以下、カメラとも記す）は電気的な接点により撮影に必要な情報を相互に交換し、ストロボ撮影のためのシステムが成り立っている。通常はこの通信のための電気的な接点は複数であり、撮影の際に、これら複数の接点のうちの少なくとも一つが接触不良を発生することによって、ストロボ装置とカメラが相互に通信する情報の内容がでたらめになる。この結果、ストロボ装置の発光量が本来の発光量から外れ、不適正な露出での撮影となってしまうケースがあった。
【０００３】
従来、ストロボ装置の装着状態を検出する手段として、カメラのアクセサリシューに該ストロボ装置が装着されたことで状態変化するスイッチを設ける。そして、このスイッチの状態でストロボ装置が装着されているか否かを検出するといった提案（特許文献１）がなされている。
【先行技術文献】
【特許文献】
【０００４】
【特許文献１】特開平８−８７０４９号
【発明の概要】
【発明が解決しようとする課題】
【０００５】
特許文献１では、上記のようにカメラのアクセサリシューにストロボ装置が装着されたか否かを検出するためのスイッチを設けている。そして、該スイッチによりストロボ装置の装着が検出されていたとしても、撮影が正しく行われない場合には、音や画面表示により警告をした上で、ストロボ装置を使わないで撮影を行わせるといった技術が開示されている。
【０００６】
しかしながら、一般的にストロボ装置には発光させるために必要な充電を行わせる等の主スイッチが具備されており、この主スイッチがオフになっている場合は、充電のみならず、カメラとの通信動作を含めて一切の動作を行わないようになっている。このような構成にしているのは、回路構成が簡単になり、コストを低く抑えることが主たる理由である。
【０００７】
ここで、アクセサリシューに取り付けられたスイッチによりストロボ装置がカメラに装着されたことが検出され、その上で相互に通信することができなくなったとする。この場合、ストロボ装置が上記のような回路構成となっているため、ストロボ装置の主スイッチがオンになっていない状態と、接触不良（通信不良）を起こしている状態の判定は不可能となってしまう。主スイッチがオンになっていない場合は、該主スイッチをオンにすればストロボ撮影は可能であるが、接触不良の場合はストロボ発光量を適正に制御できずに露出オーバーとなったり、アンダーとなったりして、不適正な露出になってしまう。
【０００８】
また、ストロボ装置をカメラのアクセサリシューに装着した状態で主スイッチだけをオフにするような使い方は通常よく行われる操作である。しかし、上記特許文献１の構成では、通常よく行われる操作において警告が行われてしまうため、使い勝手が悪いものとなってしまう。
【０００９】
（発明の目的）
本発明の目的は、ストロボ装置が撮像装置に装着される場合に、使い勝手を良好なものにするとともに、通信不良に対処することのできるストロボ装置、撮像装置および撮像システムを提供しようとするものである。
【課題を解決するための手段】
【００１０】
上記目的を達成するために、本発明のストロボ装置は、撮像装置に着脱可能に装着されるストロボ装置であって、前記撮像装置に装着されたことに応じて第１の情報を非接触で送信する非接触情報送信手段と、接点群を介して前記撮像装置と通信を行う通信手段とを有し、前記非接触情報送信手段が、当該ストロボ装置の主スイッチがオフであるときに、前記第１の情報を送信しないように構成されており、前記第１の情報を前記撮像装置に受信させることにより、当該ストロボ装置の装着と主スイッチのオンを知らせ、前記通信手段が、前記撮像装置との間の通信が良好であるか否かを判定するための第２の情報を送信することを特徴とするものである。
【発明の効果】
【００１１】
本発明によれば、ストロボ装置が撮像装置に装着される場合に、使い勝手を良好なものにするとともに、通信不良に対処することができる。
【図面の簡単な説明】
【００１２】
【図１】本発明の一実施例に係るストロボ装置および撮像装置を示す構成図である。
【図２】図１の回路構成を示すブロック図である。
【図３】図２のカメラマイコンの通信動作を示すフローチャートである。
【図４】図２のカメラマイコンの撮影動作を示すフローチャートである。
【図５】図２のストロボマイコンの動作を示すフローチャートである。
【発明を実施するための形態】
【００１３】
本発明を実施するための形態は、以下の実施例に示す通りである。
【実施例】
【００１４】
図１は本発明の一実施例に係る撮像装置の一例である一眼レフレックスカメラおよび該カメラに対して着脱自在なストロボ装置を示す構成図である。
【００１５】
図１において、１はカメラであり、その前面には撮像レンズ１１が装着される。また、カメラ１には着脱可能のストロボ装置３０が装着されている。
【００１６】
まず、カメラ１の構成について説明する。
【００１７】
カメラ１内には、光学部品、機械部品、電気回路およびフィルム又はＣＣＤ等の撮像素子などが収納され、写真又は画像撮影が行えるようになっている。２は主ミラーであり、ファインダ観察状態では図１のように撮影光路内に斜設され、撮影状態では撮影光路外に退避させられる。また、主ミラー２はハーフミラーとなっており、撮影光路内に斜設されているときは、後述する焦点検出光学系に被写体からの光線の約半分を透過させる。
【００１８】
３はピント板であり、ファインダ光学系の一部を構成し、撮像レンズ１１の予定結像面に配置される。４はファインダ光路変更用のペンタプリズムである。５は接眼レンズであり、撮影者はこの接眼レンズ５の後方にある窓からピント板３を観察することで、撮影画面を観察することができる。６は結像レンズ、７はファインダ観察画面内の被写体輝度を測定するための測光センサである。結像レンズ６はペンタプリズム４内の反射光路を介してピント板３と測光センサ７とを共役に関係付けている。
【００１９】
８はフォーカルプレーンシャッタである。９は感光部材であり、銀塩フィルム又はＣＣＤ等の撮像素子が用いられる。２５はサブミラーであり、主ミラー２と同様に、ファインダ観察状態では撮影光路内に斜設され、撮影状態では撮影光路外に退避させられる。このサブミラー２５は、斜設された主ミラー２を透過した光線を下方に折り曲げて、焦点検出ユニット２６の方に導く。焦点検出ユニット２６は、例えば、いわゆる位相差検出方式によって撮像レンズ１１の焦点調節状態を検出し、その検出結果を撮像レンズ１の焦点調節機構を制御するカメラマイコン（後述）に送出する。１０はカメラ１と撮像レンズ１１との通信インターフェイスとなるレンズマウント接点群である。
【００２０】
次に、撮像レンズ１１の構成について説明する。
【００２１】
１２〜１４は以下に説明する群を成すレンズ、１５は絞りである。１群レンズ１２は光軸上を前後に移動することで、撮影画面のピント位置を調節するフォーカスレンズである。２群レンズ１３は光軸上を前後に移動することで撮像レンズ１１の焦点距離を変更し、撮影画面の変倍を行うズームレンズである。３群レンズ１４は固定レンズである。１６は１群レンズ（以下、フォーカスレンズ）１２を光軸方向に移動させるフォーカス駆動モータであり、自動焦点調節動作によりフォーカスレンズ１２を前後に移動させる。１７は絞り駆動モータであり、絞り１５の開口径を変化させるようにこれを駆動する。
【００２２】
上記のフォーカス駆動モータ１６および絞り駆動モータ１７は撮影レンズ１内に設けられたレンズマイコン（不図示）がカメラマイコン（後述）からの指示を受けて駆動するが、これらの動作は本発明の主旨と関係ないため、その詳細な説明は省略する。
【００２３】
次に、ストロボ装置３０の構成について説明する。
【００２４】
ストロボ装置３０は、カメラ１に着脱可能であり、カメラ１からの信号に従って発光制御を行う。３１はキセノン管であり、電気エネルギーを発光エネルギーに変換する。３２はフレネルレンズ、３３は反射板であり、それぞれ発光エネルギーを効率良く被写体に向けて集光する役目を持つ。３９はカメラ１とストロボ装置３０との通信インターフェイスとなるアクセサリシューに具備されたストロボ接点群である。
【００２５】
次に、図２を用いて、ストロボ装置３０とカメラ１の回路構成について、接続時の状態を併せて説明する。なお、図１と同じ部分には同一の符号を付し、その説明は省略する。また、撮影レンズ１１との通信動作、オートフォーカスの検出動作等については、本発明との関連がないので該当部分の回路構成の記述を省略する。
【００２６】
先ず、カメラ１の回路構成について説明する。
【００２７】
１００はカメラマイコンであり、ストロボ接点群３９を介して、ストロボ装置３０内に設けられたストロボマイコン２００と信号伝達を行う。１０１はストロボ装置３０側に設けられた後述のＩＣタグを読み取るＩＣタグリーダーである。このＩＣタグリーダー１０１は電波を使って、ストロボ装置３０側に設けられた後述のＩＣタグへ電磁誘導により電力を供給するとともに、電波によりストロボ装置３０側に設けられたＩＣタグの情報を読み取る。なお、ＩＣタグの情報とは、例えばストロボの型式を示す情報などである。
【００２８】
１０３はシャッタ制御回路であり、カメラマイコン１００からの信号に従ってフォーカルプレーンシャッタ８を駆動するシャッタ先幕駆動マグネットＭＧ−１およびシャッタ後幕駆動マグネットＭＧ−２の通電制御を行う。この通電制御により、先幕および後幕が走行し、露出動作が行われる。１０２はモータ制御回路であり、カメラマイコン１００からの信号に従ってモータを制御することにより、主ミラー２のアップダウンおよびシャッタチャージなどを行う。１０４は液晶表示部であり、カメラマイコン１００からの信号に従って表示を行う。表示する内容は、シャッタ秒時や絞り値表示といったカメラの撮影情報であったり、故障などには警告表示であったりする。
【００２９】
次に、ストロボ装置３０の回路構成について説明する。
【００３０】
２０１は電源電池である。２０２はＤＣ／ＤＣコンバータであり、電池電圧を数１００Ｖに昇圧する。２０３は発光エネルギーを蓄積するメインコンデンサである。２０４，２０５は抵抗であり、メインコンデンサ２０３の電圧を所定比に分圧する。２０６はトリガ発生回路、２０７はＩＧＢＴ（絶縁ゲートバイポーラトランジスタ）などの発光制御回路、２０８はストロボ発光時の発光量制御用のコンパレータである。２０９は受光素子３８に流れる光電流を対数圧縮するとともにキセノン管３１の発光量を圧縮積分するための積分測光回路である。２１０は当該ストロボ装置３０から発せられた光が被写体から反射して戻って来た光を受光する受光素子である。
【００３１】
ここで、ストロボマイコン２００の各端子について説明する。ＣＮＴはＤＣ／ＤＣコンバータ２０２の充電を制御する制御出力用の端子、ＡＤは充電電圧を読み込むためのＡ／Ｄ変換入力用の端子、ＣＬＫはカメラ１とシリアル通信を行うための同期クロック入力用の端子である。また、ＤＯは、同期クロックに同期して、ストロボ装置３０からカメラ１にシリアルデータを転送するためのシリアル出力用の端子である。ＤＩは、同期クロックに同期して、カメラ１からストロボ装置３０にシリアルデータを受け取るためのシリアルデータ入力用の端子である。Ｘはカメラ１からのストロボ発光指令が入力される端子、ＤＡはコンパレータ２０８のコンパレート電圧を出力するためのＤ／Ａ出力用の端子、ＴＲＩＧは発光トリガ信号の出力用の端子である。
【００３２】
２１２はアンテナであり、ＩＣタグ２１３に接続されている。アンテナ２１２はカメラ１から発せられる電波の周波数と共振するインダクタンスを持ち、このために、カメラ１から発せられる電波を電磁誘導により、効率的に電力として変換する。ＩＣタグ２１３はこの電力により動作するいわゆるパッシブ型のＩＣタグである。アンテナ２１２のもう１つの目的は、電波を使ってＩＣタグ内部の情報を、カメラへと伝えることである。キャリア周波数は任意に選ぶことができる。
【００３３】
２１１は電源電池２０１をストロボマイコン２００及びＤＣ／ＤＣコンバータ２０２へ接続するか（オン）接続しないか（オフ）を切り替えるための主スイッチである。主スイッチ２１１がオフされると、ストロボ装置３０はストロボマイコン２００を含む全ての回路に全く電源が供給されなくなるため、一切の機能を停止する。さらに、主スイッチ２１１はＩＣタグ２１３に接続されたアンテナ２１２と結合され、ストロボ装置３０の主スイッチ２１１がオフされた状態では、アンテナ２１２のループの一端が開き、アンテナとしての機能が損なわれるように構成されている。アンテナの機能が損なわれると、電磁誘導により起電力を得られず、かつ、ＩＣタグ２１３の内部情報を送ることもできなくなるので、カメラ１はストロボ装置３０が装着されたとしても、ＩＣタグ２１３からの情報が検出できなくなる。このため、カメラ１はストロボ装置３０が装着されていない状態と等価な状態として認識する。
【００３４】
次に、以上のように構成された撮像システムにおける各マイコン１００、２００の動作について、図３ないし図６のフローチャートに沿って詳細に説明する。
【００３５】
まず、カメラ１におけるカメラマイコン１００の通信動作について、図３のフローチャートにしたがって説明する。
【００３６】
先ず、ステップ＃１００にて、カメラマイコン１００は、ストロボ装置３０が装着されているか否かを検出するためにＩＣタグリーダー１０１から電波を発し、ストロボ装置３０側に設けられたＩＣタグ２１３へ電磁誘導により電力を供給する。そして、電波によりＩＣタグ２１３の情報の読み取りを試みる。次のステップ＃１０１では、ストロボ装置３０が装着され、かつ、ストロボ装置３０の主スイッチ２１１がオンしているか否かを判定する。ストロボ装置３０が装着され、かつ、ストロボ装置３０の主スイッチ２１１がオンしている場合には、ストロボ装置３０側のＩＣタグ２１３の情報をアンテナ２１２を通して正しく読み取れるので、ステップ＃１０２へ進む。
【００３７】
なお、カメラのアクセサリシューに正しく装着されなくても、ＩＣタグリーダー１０１によりＩＣタグ２１３の情報を読み取れる場合、ストロボ装置が装着されたと判定する。非接触で通信可能ゆえ所定距離内であれば通信可能となるが、想定している距離はせいぜい１０ｃｍ以内である。カメラ１からこの距離にストロボ装置３０が存在する場合は、撮影者がストロボ装置３０を使った撮影を意図しているのは明らかであり、ストロボ装置３０が装着されたと判定して差し支えない。
【００３８】
一方、ストロボ装置３０が装着されていないか、または、ストロボ装置３０の主スイッチ２１１がオンしていない場合には、カメラマイコン１００は、ＩＣタグ２１３の情報をアンテナ２１２を通して読み取ることができないので、ステップ＃１０４へ進む。そして、このステップ＃１０４にて、ストロボ使用フラグを０にして、動作を終了する。
【００３９】
ＩＣタグ２１３の情報を正しく読み取れたとしてステップ＃１０１からステップ＃１０２へ進むと、カメラマイコン１００は、ストロボ接点群３９を介してストロボマイコン２００と情報伝達（通信）を行う。ストロボ装置３０とカメラ１の接点であるストロボ接点群３９は電気接点であり、ストロボ装置３０の装着が正しくない場合には接触不良となることがある。もしこの電気接点の状態が不安定な状態では、データ通信が正しく行われずにストロボ装置３０の発光制御が正しく行われないことになる。
【００４０】
次のステップ＃１０３では、カメラマイコン１００は、ストロボ装置３０との通信が正しく行われているか否かを判定する。ストロボ装置３０との通信が正しく行われているか否かを判定する方法の一つに、固定データとして決まっているデータを受けてチェックする以下の方法がある。
【００４１】
例として、１６進数で「ＡＡ」あるいは「５５」のような、固定データを受けて、期待通りに正しく読めるかどうかをチェックする。１６進数で「ＡＡ」あるいは「５５」などのデータは２進表示では「０」と「１」が混在するので接触不良の検出に適している。接触不良を起こしているようなケースでは、「ＦＦ」とか「００」のようなデータとして受信し、２進表示では「１」の状態としか読めないか、もしくは「０」の状態としか読めない。このような場合は、ストロボ装置３０との通信が正しく行われていないと判定してよい。
【００４２】
ストロボ装置３０の装着が正しくない場合には接触不良が起きたり、起きなかったりすることも考えられる。しかし、そのよう場合には、固定データとして決まっているデータを繰り返し受け、正しく読めないケースが頻繁に発生するようなら、そのような場合はストロボ装置３０との通信が正しく行われていないと判定してよい。
【００４３】
上記ステップ＃１０３にて、ストロボ装置３０との通信が正しく行われていないと判定した場合にはステップ＃１０６へ進み、カメラマイコン１００は、ストロボ使用フラグを０にする。そして、次のステップ＃１０７にて、撮影を禁止するために撮影許可フラグを０にし、続くステップ＃１０８にて、カメラ１の液晶表示部１０４にレリーズ動作禁止表示を行い、処理を終了する。
【００４４】
また、上記ステップ＃１０３にて、ストロボ装置３０との通信が正しく行われていると判定した場合には１６進数で「ＡＡ」あるいは「５５」などのチェックデータが繰り返し正しく検出されるケースである。このような場合はステップ＃１０５へ進み、カメラマイコン１００は、ストロボ使用フラグを１にして、動作を終了する。
【００４５】
次に、カメラ１のカメラマイコン１００での撮影動作について、図４のフローチャートを用いて説明する。
【００４６】
撮影動作は、不図示のレリーズスイッチが押し込まれることによって開始され、先ずステップ＃２００にて、カメラマイコン１００は、撮影許可フラグの状態を判定する。その結果、撮影許可フラグが０になっている場合は、撮影が禁止されている状態なので、撮影動作を中断し、処理を終了する。
【００４７】
一方、撮影許可フラグが１になっている場合は撮影が許可されている状態なので、撮影動作を継続するためにステップ＃２０１へ進み、カメラマイコン１００は、ストロボ使用フラグが１であるか否かをチェックする。なお、ストロボ使用フラグが１になっている場合とは、図３のステップ＃１０１→＃１０３→＃１０５で示したように、ストロボ装置３０がカメラ１に正常に装着され、主スイッチ２１１がオン状態となり、かつ、ストロボ接点群３９の接続状態も良好な状態である。このようにストロボ使用フラグが１の場合はストロボ光量通信を行うためにステップ＃２０２へ進み、ストロボ使用フラグが０の場合はストロボ光量通信を行う必要がないので直ちにステップ＃２０３へ進む。
【００４８】
ストロボ使用フラグが１であるとしてステップ＃２０２へ進むと、カメラマイコン１００は、ストロボ装置３０とストロボ接点群３９を介して情報の伝達を行う。伝達する情報の内容としては、ストロボ装置３０で発光すべき発光量を決めるデータである。ストロボ装置３０で発光すべき発光量は、撮影時における感光部材９の感度（ＩＳＯ感度）と撮影時の撮影レンズ１１の絞り値（Ｆナンバー）に依存するため、この２つのデータが伝達される。ストロボ装置３０では、カメラ１側から感光部材９の感度と撮影レンズ１１の絞り値がカメラ１から伝達されると、調光制御にて発光すべき発光量を決定することになる。
【００４９】
ステップ＃２０３では、カメラマイコン１００は、主ミラー２及びサブミラー２５を跳ね上げて撮影光路から退避させると同時に、撮影レンズ１１に対して絞り１５の絞り込みを指示する。そして、次のステップ＃２０４にて、主ミラー２及びサブミラー２５が撮影光路から完全に退避するのを待つ。主ミラー２及びサブミラー２５が完全に跳ね上がるとステップ＃２０５へ進み、先幕駆動マグネットＭＧ−１に通電し、フォーカルプレーンシャッタ８の開放動作（先幕走行）を開始させて感光部材９への露光を開始する。
【００５０】
次のステップ＃２０６では、カメラマイコン１００は、再度ストロボ使用フラグの状態をチェックし、ストロボ使用フラグが１になっている場合はストロボ発光を行わせるためにステップ＃２０７へ進む。ストロボ使用フラグが０になっている場合はその必要がないので直ちにステップ＃２０８へ進む。
【００５１】
ストロボ使用フラグが１であるとしてステップ＃２０７へ進むと、カメラマイコン１００は、ストロボ発光（本発光）を行わせる。ストロボ発光は、ストロボ接点群３９のＸ接点をカメラ１側にてローレベルに引き落とすことによって行われる。ストロボ装置３０にて行われる調光動作については、ストロボマイコン２００の動作説明（後述）の中で行う。
【００５２】
フォーカルプレーンシャッタ８を開放させてから所定のシャッタ開放時間が経過すると、ステップ＃２０８にて、カメラマイコン１００は、後幕駆動マグネットＭＧ−２に通電し、フォーカルプレーンシャッタ８の後幕走行させて感光部材９への露光を終了する。そして、次のステップ＃２０９にて、主ミラー２及びサブミラー２５をダウンさせ、撮影を終了する。
【００５３】
次に、ストロボ装置３０のストロボマイコン２００での充電動作について、図５（ａ）のフローチャートにしたがって説明する。
【００５４】
先ずステップ＃３００では、ストロボマイコン２００は、ＣＮＴ端子からハイレベルの信号を出力し、ＤＣ／ＤＣコンバータ２０２を起動し、電池電圧を数１００Ｖに昇圧してメインコンデンサ２０３を充電する。そして、次のステップ＃３０１にて、抵抗２０４，２０５によって所定比に分圧されたメインコンデンサ２０３の充電電圧を読む。充電電圧を読むことによって、発光のためのエネルギーがメインコンデンサ２０３に充分に蓄えられていることを知ることができる。
【００５５】
次のステップ＃３０２では、ストロボ接点群３９を介してカメラ１と情報伝達を行う。情報伝達の内容に関して、ストロボ装置３０からカメラ１へと送信するデータとしては、接触不良が起きていないことを確認するための通信確認のためのデータである。例として、１６進数で「ＡＡ」あるいは「５５」のような、固定データとメインコンデンサ２０３の充電が完了しているか否かのデータである。また、カメラ１からストロボ装置３０へと送信するデータとしては、フィルム又はＣＣＤ等の感光部材９の感度と撮影レンズ１１の絞り値がある。
【００５６】
次に、ストロボマイコン２００でのストロボ発光時の動作について、図５（ｂ）のフローチャートにしたがって説明する。カメラ１とのストロボ接点群３９のＸ端子にローレベルの信号が入力したときにはストロボ装置３０はストロボ発光を開始するが、そのシステムについて説明する。
【００５７】
先ず、ステップ＃４００では、ストロボマイコン２００は、ＤＡ端子からコンパレート電圧を出力する。コンパレート電圧とは、被写体からの反射光の積分値が所定量になった場合に、発光動作を打ち切るための閾値電圧である。被写体からの反射光の積分値が所定量になった場合に発光動作を打ち切る動作を、一般的に調光動作と呼んでいる。
【００５８】
カメラ１からストロボ装置３０へと送信するデータとしての感光部材９の感度が高い場合は、発光量を少なくするようにコンパレート電圧を下げる。撮影レンズ１１の絞り値が明るい場合も、発光量を少なくするようにコンパレート電圧を下げる。逆に、感度が低い場合は、発光量を多くするようにコンパレート電圧を上げる。撮影レンズ１１の絞り値が暗い場合も、発光量を多くするようにコンパレート電圧を上げる。カメラ１とストロボ装置３０とのストロボ接点群３９に接触不良があって情報伝達が正しく行われていない場合には、ここで設定するコンパレート電圧がでたらめになる。その結果、ストロボ装置３０の発光量が適正量から外れてオーバーになったり、アンダーになったりしてしまう。
【００５９】
次のステップ＃４０１では、ＴＲＩＧ端子からハイレベルの信号を出力する。トリガ発生回路２０６はハイレベルの信号を受けると、キセノン管３１の周囲に高電圧を印加し、閃光発光が開始される。閃光発光の停止は、発光量制御用のコンパレータの出力がハイレベルからローレベルに変わることにより、発光制御回路２０７がキセノン管３１を流れる電流を遮断することで行われる。
【００６０】
以上の実施例によれば、ストロボ装置３０に、非接触情報送信手段であるパッシブ型のＩＣタグ２１３を設け、カメラ１側には、このＩＣタグ２１３からの情報を受信するＩＣタグリーダー１０１を設け、これらによりストロボ装置３０の装着状態を検出する。また、ストロボ装置３０の主スイッチ２１１がオフとなっている場合には、ＩＣタグ２１３は情報を送信しないようにしている。これにより、ストロボ装置３０が装着されており、かつストロボ装置３０の主スイッチ２１１がオンになっていることを検出可能にしている。
【００６１】
そして、ストロボ装置３０が装着されており、かつストロボ装置３０の主スイッチ２１１がオンになっていることを検出した場合（図３のステップ＃１０１のＹＥＳ）には、これらの間で正しく通信できるかを検出する。そのために、ストロボ接点群３９を介して通信してみる（＃１０２）。その結果、ストロボ接点群３９の磨耗や、装着状態が不十分であったりして、通信経路が確立していないことを検出した場合（＃１０３のＮＯ）には、警告表示を行うとともに、ストロボ装置３０を使用する撮影を禁止する（＃１０８）ようにしている。
【００６２】
よって、露出オーバーになったり、アンダーになったりする不適正な露出での撮影を防止することができる。また、ストロボ装置３０とカメラ１の接点不良とストロボ装置の主スイッチ２１１がオンでないことの確認を行うことができ、かつ、従来のように警告がむやみに出ず、使い勝手の良いものとすることができる。
【００６３】
（本発明と実施例の対応）
ストロボ装置３０が本発明のストロボ装置に相当し、カメラ１がストロボ装置３０を装着可能な本発明の撮像装置に相当する。また、ＩＣタグ２１３が、本発明の、撮像装置に装着されたことに応じて第１の情報を非接触で送信する非接触情報送信手段に相当する。そして、この非接触情報送信手段が、主スイッチ２１１がオフであるときに、第１の情報を送信しないように構成されている。また、ストロボマイコン２００が、本発明の、接点群３９を介して撮像装置と通信を行う通信手段に相当する。また、１６進数で「ＡＡ」あるいは「５５」などのチェックデータが、本発明の第２の情報に相当する。
【００６４】
また、ＩＣタグリーダー１０１が、本発明の、ストロボ装置から第１の情報を受信することによってストロボ装置の装着と主スイッチのオンを検出する第１の検出手段に相当する。また、カメラマイコン１００（図３のステップ＃１０２，＃１０３）が、本発明の、ストロボ装置から第２の情報を受信することによってストロボ装置との通信が良好であるか否かを検出する第２の検出手段に相当する。同じくカメラマイコン１００（図３のステップ＃１０６〜＃１０８）が、本発明の、第２の検出手段により通信が不良であることが検出された場合、通信不良としての処理を行う制御手段に相当する。また、液晶表示部１０４が、本発明の警告手段に相当する。
【００６５】
また、ＩＣタグ２１３は、主スイッチ２１１のオフに応じてアンテナ機能が損なわれることにより第１の情報を送信しない構成である。
【符号の説明】
【００６６】
１      カメラ本体
３０    ストロボ装置
３９    ストロボ接点群
１００  カメラマイコン
１０１  ＩＣタグリーダー
１０４  液晶表示部
２００  ストロボマイコン
２１１  主スイッチ
２１２  アンテナ
２１３  ＩＣタグ
【図１】
2011075741.tif 000003
【図２】
2011075741.tif 000004
【図３】
2011075741.tif 000005
【図４】
2011075741.tif 000006
【図５】
2011075741.tif 000007